(57)【要約】  【課題】  ハウジングに光学プリズムの取付保持に関する装置を提供する。  【解決手段】  各種光学部品が配置される光学ハウジング１に、レーザー素子２より放射される光路上に配置されているプリズム保持装置において、プリズム３が配置される光路上に一つの突起部９を設け、該突起部９にプリズム３の中心になる部分を当接し、該突起部９を支点として、前記プリズム３を回動自由に調節することを可能とし、光軸を調整可能に支持したものである。  【選択図】    図１
2005114818.tif 000002
【特許請求の範囲】
【請求項１】
各種光学部品が配置される光学ハウジングに、レーザー素子より放射される光路上に配置されているプリズム保持装置において、プリズムが配置される光路上に一つの突起部を設け、該突起部にプリズムの中心部を当接し、該突起部を支点として、前記プリズムを光軸調整可能に支持したことを特徴とするプリズム支持装置。
【請求項２】
突起部周辺と当接したプリズム面を複数箇所接着剤にて接着して保持したことを特徴とする請求項１に記載のプリズム保持装置。
【請求項３】
突起部は先端が円弧状であることを特徴とする請求項１に記載のプリズム保持装置。
【発明の詳細な説明】
【技術分野】
【０００１】
本発明は、光学ハウジングの光路上の位置にプリズムを接着保持するプリズム保持装置。
【背景技術】
【０００２】
ディスク等の信号記録媒体に対して光学的に信号の読み取り、あるいは書き込みを行う光学ヘッド用レンズ調整装置は、通常、対物レンズを駆動させる対物レンズ駆動機構を、光源からのレーザービームを前記対物レンズに導く光路及び信号記録媒体により反射された光ビームを光検出器に導く光路が形成される光学ハウジングに取り付けて構成されている。
【０００３】
レーザー素子より放射されるレーザービームは各種光学部品が組み込まれている部品に光軸を合せる必要がある。従来の光ピックアップは特開平０６−２５９７９８号に公開されているように、光学レンズ及びプリズムは所望の位置に配置され、光軸調整機構が搭載されたレーザー素子より放射されるレーザービームの光軸を調節する調節装置により、光ピックアップの光軸を合せる方式であった。
【０００４】
最近の光ピックアップは超薄型化及び小型化が進み各光学部品は僅かなスペースに組み込む必要がある。超薄型化に組み立てるには厚さ方向の制約から、レーザー素子の大きさにもよるが、厚さの要望としてレーザー素子とほぼ同じ高さまでの薄さが要求され、レーザー素子の調整機構を設けるスペースを確保するのが困難になってきた。
【０００５】
そのようなことから、レーザー素子の光軸調整機構を無くす方式が考案され、無くすことによっては光軸のズレが生じることとなる。そこでレーザー素子より照射されるプリズムの位置及び角度を調整することによって光路上の光軸を合せる方式を提供する。
【０００６】
提供するにあたり、プリズムを固定する場合、光学ハウジング内に空中にて光学ハウジングに接着固定する方式を考案したが、光学ハウジングに当接しない状態で接着するため、浮いている不安定な状態での接着剤は温度変化により光軸がズレる影響が懸念される。また、平面の設置台にプリズムを配置した場合、設置台の平面が必ず基準とはならず、プリズム面の何れかが設置台と当接することとなり、光学ハウジングとプリズムの間が均一な隙間の差が取れない状態で接着されることから、温度変化の環境を受けることにより接着剤の収縮が発生し光軸のズレが発生することになる。
【０００７】
この解決法として、本発明である光学ハウジングの光路上に突起部を設け、該突起部にプリズムの中心部を当接し、光軸調整後、当接部周辺を接着したものである。
【特許文献１】特開平０６−２５９７９８号
【発明の開示】
【発明が解決しようとする課題】
【０００８】
プリズムを光学ハウジング内にて空中にプリズムと光学ハウジングの間に接着剤にて固定するとハウジング内に位置決めが困難であるとともに接着剤の温度変化による収縮率が大であり、初期の光軸変化や経時的な光軸変動の懸念があった。
【０００９】
本発明は、斯かる問題を解決したプリズム保持装置を提供しようとするものである。
【課題を解決するための手段】
【００１０】
光学ハウジングに配置されたレーザー素子より放射されるレーザービームの光路上に光学部品が配置されているプリズム保持装置において、光学ハウジングの光路上にある所望の位置に一つの突起部を設け、該突起部にプリズムの中心部を当接し、突起部周辺と該突起部と当接したプリズム面とを接着剤にて接着保持するようにした。
【発明の効果】
【００１１】
通常の光ピックアップに使用されるレーザー素子は、レーザー素子の大きさよりも高さ方向の領域を有する光軸調整装置が必要であり、レーザー素子までの高さを規制する光軸調整装置を搭載するのは困難であった、本発明は光軸調整機構を有しないレーザー素子とし、レーザー素子より放射されたレーザービームは、プリズムに照射され、該プリズムのＸ軸、Ｙ軸を光路上の光軸に合致するように調整する方式であって、光学ハウジングの光路上である所望の位置に突起部を設け、該突起部にプリズムの中心部を当接し、Ｘ軸、Ｙ軸を治具により調整した後、突起部周辺と、該突起部とを当接したプリズム面を接着剤にて接着して保持するようにしたので、レーザー素子に光軸調整機能を設ける必要がないことから、高さ方向はレーザー素子とほぼ同じ高さの超薄型化の光ピックアップが製造可能である。
【００１２】
そして、プリズムを突起部の中央に当接しているとともに突起部が円弧状なので、プリズムは当接部を基点としての位置決めが容易であるとともに、Ｘ軸、Ｙ軸及び傾きが自由自在の光軸調整が可能である。
【００１３】
また、当接部の周囲をＵＶ接着しているのでプリズムがフリー状態での接着に比べ、温度変化によるＵＶ接着剤の収縮率による影響が少なく光軸のズレが無いことから初期の光軸変化、および経時的な光軸変動の影響が少ない。
【発明を実施するための最良の形態】
【００１４】
本発明は、光学ハウジングに配置されたレーザー素子より放射されるレーザービームの光路上に各種光学部品が配置されたプリズム保持装置において、光学ハウジングの光路上に先端が円弧状である一つの突起部を設け、該突起部にプリズムの中心部を当接し、光学ハウジングの突起部周辺と、該突起部と当接したプリズム面とを接着剤にて接着して保持するようにした。
【実施例１】
【００１５】
図１は本発明の一実施例を示すプリズム保持装置の斜視図、図２は図１に示す要部の詳細斜視図、図３は本発明の説明用の分解斜視図である。図において、光学ハウジング１に組み込まれる各種光学素子と、ＣＤに適した波長、例えば７８０ｎｍのレーザービームを発光するレーザー素子２から発光されるレーザービームの光路は、そのレーザービームの波長の関係からプリズム３を透過しレーザービームを平行光に作用するコリメータレンズ４に照射される。
【００１６】
コリメータレンズ４により平行光を有するレーザービームは立ち上げミラー５により反射されてディスク面に対して光軸が垂直方向となされて対物レンズ６に入射され、該対物レンズ６により収束されてディスク７の信号面に照射される。
【００１７】
ディスク７の信号面により変調されて反射されたレーザービームは対物レンズ６に戻り、立ち上げミラー５で反射されてコリメータレンズ４を通過後、プリズム３に照射される。プリズム４に戻ったレーザービームの光軸は折曲されて受光素子８にて受光される。
【００１８】
ところで、本発明のプリズム３の保持方法において、光学ハウジング内の光路上には所望の位置に配置される円弧状の突起部９が設けられ、該突起部９にはプリズム３の底面が
当接されるが、図２及び図３にて説明すると、突起部９の周囲数箇所にＵＶ接着剤を塗布し、治具によりプリズム３の下面中央部を前記突起部９に当接する。このときプリズム３の角度調整は、レーザー素子２より放射されたレーザービームは突起部９に当接されているプリズム３に照射され、該プリズム３に照射されたレーザービームは透過されコリメータレンズ４に照射される光軸である矢印Ａ方向に照射される光軸方向と、ディスク７より反射されたレーザービームが立ち上げミラー５の反射からコリメータレンズ４を透過しプリズム３にて光軸が屈曲されて受光素子８に照射する矢印Ｂ方向の光軸に合致するように治具にて調整する。即ちプリズム３は矢印Ａ方向と矢印Ｂ方向を同時に治具にて調整する必要がある。
【００１９】
そして、調整により光軸が合致した状態でプリズム３の底面と突起部９の周囲にＵＶ接着剤にＵＶ照射をし、接着固定する。
【００２０】
このようにプリズム３は基点となる突起部９に当接されているので、フリー状態では不安定な光軸調整に対して基点に当接した光軸の調整が容易に行える。
【産業上の利用可能性】
【００２１】
上述したように、光ピックアップの超薄型化の製品に大いに有効な方式である。
【図面の簡単な説明】
【００２２】
【図１】図１は本発明の一実施例を示すプリズム保持装置の斜視図である。
【図２】図１に示すの要部の詳細斜視図である。
【図３】本発明の説明に使用する説明図である。
【符号の説明】
【００２３】
１      光学ハウジング
２      レーザー素子
３      プリズム
９      突起部
【図１】
2005114818.tif 000003
【図２】
2005114818.tif 000004
【図３】
2005114818.tif 000005